(57)【特許請求の範囲】
【請求項１】
躯体間隙長手方向の突条乃至溝部を有した下地材を躯体端部に固定し、上記突条乃至溝部に係合する躯体間隙長手方向のスライド溝乃至突条を有した通し材を下地材上にスライド可能に係止し、躯体間隙幅方向の支持部を有するブラケットを通し材の所要位置に連結固定し、躯体間隙を跨ぐ底面を有するフレーム部に躯体間隙幅方向のレール部を形成し、被着カバー材の端部内側に係止する係止片をフレーム端部に折曲形成したホルダーを、上記支持部とレール部とを互いにスライド可能に係合させて上記ブラケットに連結し、被着カバー材の裏面に接合可能な弾性部と躯体側に接合可能な弾性部とを有したガスケットを、各ホルダー間を塞ぐとともに躯体側の間隙を塞ぐように通し材上に係止してなる構成を具備したエキスパンションジョイント。
【発明の詳細な説明】
【０００１】
【発明の属する技術分野】
本発明は、建築物の躯体間隙を塞ぐために両躯体間に跨って設置するエキスパンションジョイントに関する。
【０００２】
【従来の技術】
従来のエキスパンションジョイントの一例を図１１に示したが、エキスパンションジョイントには、笠木構成と腰水切構成とがあり、いずれも躯体側１００に固着した固定金具１０１にばね１０２を介してホルダー１０３を取り付け、これにカバー材１０４を被着している。ばねはホルダーの底面に取り付けられ、躯体間隙の奥行き方向（Ｚ方向）に固定されているので、僅かなＺ方向への変動を吸収できるが、躯体間隙長手方向（Ｙ方向）への変動には対応できない。また、躯体間隙幅方向（Ｘ方向）への変動にも対応できない。
このために、躯体固定用のボルト１０５をホルダーに挿通する孔を長孔１０６とし、長孔の長さ分だけホルダーが摺動できるようにしている。
【０００３】
【発明が解決しようとする課題】
しかしながら、一定の変動を吸収し得る長さとすることにより、長孔１０６は固定金具１０１に取り付けたガスケット１０７の幅（厚み）を大きく越える長さのものとなり、この孔分の内外貫通した隙間が生じてしまっていた。
吹き付けた雨は、矢印の如く、吹き込む風とともに上記長孔が通気孔となり、ここから内方（躯体間隙側）に進入しやすかった。
なお、近時の建築物は免震構造となっているため、隣接躯体同士の上下方向（Ｚ方向）へのずれあいはほとんど生じず、水平方向（ＸＹ方向）のずれあいを吸収する構成が要求されている。
本発明は、上記問題点があることに着眼し、雨水の進入を防止しつつ、同時に長孔を開けることなくＸＹ方向のずれあいを吸収できるように、十分な摺動が可能なエキスパンションジョイントを提供せんとするものである。
【０００４】
【課題を解決するための手段】
上記課題を解決するために、本発明は、躯体間隙長手方向の突条乃至溝部を有した下地材を躯体端部に固定し、上記突条乃至溝部に係合する躯体間隙長手方向のスライド溝乃至突条を有した通し材を下地材上にスライド可能に係止し、躯体間隙幅方向の支持部を有するブラケットを通し材の所要位置に連結固定し、躯体間隙を跨ぐ底面を有するフレーム部に躯体間隙幅方向のレール部を形成し、被着カバー材の端部内側に係止する係止片をフレーム端部に折曲形成したホルダーを、上記支持部とレール部とを互いにスライド可能に係合させて上記ブラケットに連結し、被着カバー材の裏面に接合可能な弾性部と躯体側に接合可能な弾性部とを有したガスケットを、各ホルダー間を塞ぐとともに躯体側の間隙を塞ぐように通し材上に係止してなる構成を具備したエキスパンションジョイントを構成したことを特徴とする。
【０００５】
本発明は、また、上記構成とともに、被着したカバー材の一端側を、上記ブラケットに連結したホルダー一端の係止片に係止させるとともに、他端側を躯体特に壁部に固着した固定部材の係合部に係止させ、各ホルダー間の中間部乃至ジョイント部において、上記固定部材に基部を支持させたばね体の端部をカバー材の裏面に接合させ、カバー体の他端側を係合部に当接させてなる構成を有してエキスパンションジョイントとしたものでもある。
【０００６】
【発明の実施の形態】
以下、本発明の一例としての実施の形態を図面によって説明する。
図１〜７は本発明に係るエキスパンションジョイントの構造を施工順に示す部分斜視図、図８は設置状態を示す断面図、図９，１０は別例のエキスパンションジョイントの構造を示す図面である。
【０００７】
躯体間隙１に沿う躯体２の天端面にボルト固定する適宜寸法の板状下地材３には、嵌合用の膨頭状突条３ａを躯体間隙長手方向（Ｙ方向）に平行状に突設してある。複数の下地材３は天端面に適宜間隔を置いて設置し（図１）、これに適宜長尺状の通し材４を渡し躯体間隙長手方向にスライド可能に係止する（図２）。
通し材４は、上記突条３ａにスライド可能に嵌合する中膨らみ状のスライド溝４ａを有し、その上方にガスケットを係止する係止部４ｂを突設し、躯体間隙側の側方にフランジ４ｃを折曲形成してある。
【０００８】
上記フランジ４ｃの所定間隔を置いた部位には、連結部材５をビスなどで固定するとともに（図３）、これにブラケット６を固定する（図４）。
連結部材５は、フランジ４ｃにビスなどにより固定可能な固定部５ａから波状凹凸部を有する連結板部５ｂを躯体間隙に向かって延設した構成としてある。この連結板部５ｂはプレス材でよいが、凹凸部を含む連結板部が若干の弾性を持つように板ばねとしてあるのが好ましく、これにより連結板部、ブラケット、及び支持するホルダーの上下方向（Ｚ方向）への変動を可能にする。
ブラケット６は、板面の躯体間隙長手方向両側に内向き鈎状部を有した支持部６ａを形成した上向きコの字状部材としてあり、躯体間隙幅方向（Ｘ方向）に延びるホルダー７を両側から挟持し、同方向にスライド可能に支持する（図５）。
【０００９】
ホルダー７は、躯体間隙を跨ぐ底面と側壁を有し、躯体間隙幅方向への躯体のずれによる躯体間隙の広狭変動を吸収するのに十分な長さを有するフレーム７ａの両側壁外側に、躯体間隙幅方向の係合用レール部７ｂを形成し、フレーム７ａの両端部又は一端部にカバー材の端部内側に係止可能な係止片７ｃを折曲形成してある。上記底面及び側壁には孔、特に長孔を形成しない構成としてある。
パラペット天端に設置する笠木タイプのホルダーとする場合は、フレーム７ａの両端部に係止片７ｃ，７ｃを形成してホルダー７となし、壁部と天端部とに渡って設置する腰水切タイプのホルダーとする場合は、フレーム７ａの一端部に係止片７ｃを形成し、他端部に係止部７ｄを形成して、壁部２ａに固定した固定部材１０の係合部１０ｂに係止（図９）できるようにしてホルダー７とする。
係止片７ｃ、７ｄとフレーム７ａとは一体成形したものてあってもよいが、係止片７ｃ、７ｄをその基端部にフレームへの差込片を延設した別ピースとして形成し、フレーム７ａと着脱自在、差込深さ（長さ）調整自在となる３ピース構成とするのが好ましい。
【００１０】
連結部材５、ブラケット６、及びホルダー７の連結は、適宜に行うことができるが、例えば、レール部７ｂに支持部６ａを挟着させてホルダー７とブラケット６を連結させ、ホルダー７の底面とブラケットの板面の間に連結板部５ｂを波状凹凸部の弾性を利用して圧入して、これらを連結固定することができ、連結部材５にブラケット６を連結し、これにホルダー７を圧嵌させて連結固定することもできる。
なお、上記各部材の材質は任意であるが、アルミニウム、ステンレスその他の金属製とするのが望ましい。
【００１１】
通し材４には止水用のガスケット８を装着する（図６）。
ガスケット８は長尺体であって、通し材４の係止部４ｂに係合する溝部を設けた係合部８ａを有し、この上方にカバー材９の裏面に接合する高さのシール部としての中空状弾性部８ｂを突設し、外側部から下方に躯体面に接合するシール部としてのひげ状弾性部８ｃを突設してある。中空状弾性ブラケット８ｂは上下方向の圧着によるつぶれを吸収し、ひげ状弾性部８ｃは躯体面の不陸を吸収する。
通し材４に装着したガスケット８は、ホルダー７が通る部位の弾性部８ｂをホルダー幅で切除し、この切除端面がホルダーの側壁外面に当接するようにしてある。
カバー材９は、長尺状の天面の両端部に係止片を形成した従来と同様構成の金属板であり、配設されたホルダー７の上に被着する（図７）。
【００１２】
上記構成のエキスパンションジョイントは、いわゆる笠木タイプであれば、間隙両側の両躯体に対して対称的構成として形成するのが好ましい。
これに対し、一方の躯体が壁部となったいわゆる腰水切タイプであれば、図９に示す如く、断面Ｃ形のＣ形開口上下部を係合部１０ａ，１０ｂとしてなる金属製長尺状の固定部材１０を壁部２ａ（腰壁の段部）に固着し、ホルダー７はその壁側の端部に上記係合部１０ｂに係止する下折れ係止部７ｄを形成したものとし、カバー材９はその壁側の端部に上記係合部１０ａに係止する上折れ係止部９ａを形成したものとするのが好ましい。ホルダー７部分はカバー材９の裏面に当接してカバー面を支持している。
【００１３】
腰水切タイプの場合、隣接ホルダー７，７の中間部乃至カバー材のジョイント部において、カバー材の自重や製品誤差、或いは雪などの外力によって、カバー材９の端部が若干下方に撓み或いはダレ現象が生じ、その分、固定部材１０の係合部１０ａとの間に若干の隙間が生じるおそれがある。このような部位の固定部材の係合部１０ｂにばね体１１を装着し、このばね体１１端部をカバー材９の端部付近の裏面に圧接させ、カバー体端部が下方に撓まないようにさせるのが望ましい。
ばね体１１は、金属板をプレス加工し、固定部材の係合部１０ｂに挟着する二股状の挟着部１１ａを板体の一端部（基部）に有し、板体中間部をくの字状に折曲し、先端部をカバー材９裏面への接合部１１ｂとした構成などとしてある。
【００１４】
なお、上記構成において凹凸、係合などを逆に形成できる構成は当然に逆に形成してもよく、同様の機能、作用を奏する別の構成を採用することも任意に可能である。
【００１５】
【発明の効果】
上記のように本発明によれば、カバー材を保持するホルダーにボルトを挿通することなく、このホルダーを躯体間隙幅方向にスライド可能にブラケットに連結するとともに、ブラケットを固定した通し材を躯体間隙長手方向にスライド可能に下地材に係止してあるので、ホルダーからの雨水の進入を防止し、躯体の水平方向のずれを吸収することができるエキスパンションジョイントを提供できる。
ブラケットを連結部材を介して通し材に連結するようにすれば、連結部材の変形性により上下方向への躯体のずれも吸収することができる。
上下に弾性部を形成したガスケットを通し材に装着し、ホルダーを切欠部に挿通するようにすれば、ガスケットの外側と内側との通水性を遮断し、十分な止水性を持たせることができ、躯体の変動吸収作用によっても止水性が損なわれることはない。
【００１６】
また、腰水切タイプのエキスパンションジョイントにおいては、上記効果とともに、ホルダー間の中間部乃至カバー体ジョイント部に配設したばね体でカバー体を裏面から支持させれば、カバー体部分のダレ生じ現象を防止でき、漏水のおそれを生じさせない。
【図面の簡単な説明】
【図１】  下地材取り付け状態を示す部分斜視図である。
【図２】  通し材取り付け状態を示す部分斜視図である。
【図３】  連結部材取り付け状態を示す部分斜視図である。
【図４】  ブラケット取り付け状態を示す部分斜視図である。
【図５】  ホルダー取り付け状態を示す部分斜視図である。
【図６】  ガスケット取り付け状態を示す部分斜視図である。
【図７】  カバー材取り付け状態を示す部分斜視図である。
【図８】  エキスパンションジョイントの要部を示す部分断面図である。
【図９】  エキスパンションジョイントの別の要部を示す部分断面図である。
【図１０】  ばね体の一例を示す斜視図である。
【図１１】  従来のエキスパンションジョイントの一例を示し、（Ａ）は断面図、（Ｂ）はカバー材を外した状態の平面図である。
【符号の説明】
１      躯体間隙
２      躯体
２ａ    壁部
３      下地材
３ａ    突条
４      通し材
４ａ    スライド溝
４ｂ    係止部
４ｃ    フランジ
５      連結部材
５ａ    固定部
５ｂ    連結板部
６      ブラケット
６ａ    支持部
７      ホルダー
７ａ    フレーム
７ｂ    レール部
７ｃ    係止片
７ｄ    係止部
８      ガスケット
８ａ    係合部
８ｂ，８ｃ  弾性部
９      カバー材
１０    固定部材
１０ａ，１０ｂ  係合部
１１    ばね体
１１ａ  挟着部
１１ｂ  接合部
【図１】
0003701176.tif 000002
【図２】
0003701176.tif 000003
【図３】
0003701176.tif 000004
【図４】
0003701176.tif 000005
【図５】
0003701176.tif 000006
【図６】
0003701176.tif 000007
【図７】
0003701176.tif 000008
【図８】
0003701176.tif 000009
【図９】
0003701176.tif 000010
【図１０】
0003701176.tif 000011
【図１１】
0003701176.tif 000012